(57)【要約】吹込み成形において、各金型に２つ以上のキャビティを設け、それぞれに２つ以上のパリソンを挿入する。別個のパリソンを挿入されるキャビティは、各々が該パリソンと整列させて２つ以上の物品成形用キャビティを備えることができる。
2004519357.tif 000002
【特許請求の範囲】
【請求項１】
複数の物品成形用キャビティで構成される吹込み成形用金型を組み合わせて備え、前記キャビティの各々へ別個のパリソンが金型周囲のそれぞれ別個の開口部を介して供給されるように構成されているマルチパリソン数個取り吹込み成形用金型。
【請求項２】
複数の金型が装着され、パリソン注入位置と成形品押出しステーションとの間で前記金型を回転させるホイールと、
複数の物品成形用キャビティで構成された、前記キャビティの各々へ別個のパリソンが金型周囲のそれぞれ別個の開口部を介して供給されるように構成されている吹込み成形用金型と、
前記パリソン注入位置において各成形キャビティ内にパリソンを注入する複数のパリソンインジェクタと、
を組み合わせて備える垂直ホイール式吹込み成形機。
【請求項３】
各キャビティが２つの物品成形用キャビティを前記パリソンと整列させて含むことを特徴とする、請求項２に記載の垂直ホイール式吹込み成形機。
【請求項４】
前記各金型の中に個別に設けられたシリンダをさらに含み、該シリンダは、それぞれのパリソンを膨張させるためにニードルを挿入できるチャネルを構成していることを特徴とする、請求項２に記載の垂直ホイール式吹込み成形機。
【請求項５】
前記チャネルの少なくとも１つが、ニードルがパリソンに入る領域に隣接して配置されたブッシュを含むことを特徴とする、請求項４に記載の垂直ホイール式吹込み成形機。
【請求項６】
前記各金型に個別に設けられたシリンダをさらに含み、該シリンダは、それぞれのパリソンを膨張させるためにニードルを挿入できるチャネルを構成していることを特徴とする、請求項３に記載の垂直ホイール式吹込み成形機。
【請求項７】
前記チャネルの少なくとも１つが、ニードルがパリソンに入る領域に隣接して配置されたブッシュを含むことを特徴とする、請求項６に記載の垂直ホイール式吹込み成形機。
【請求項８】
前記各金型の中に個別に設けられたシリンダをさらに含み、該シリンダが、それぞれのパリソンを膨張させるためにニードルを挿入できるチャネルを構成していることを特徴とする、請求項１に記載の垂直ホイール式吹込み成形機。
【請求項９】
前記チャネルの少なくとも１つが、ニードルがパリソンに入る領域に隣接して位置付けられたブッシュを含むことを特徴とする、請求項８に記載の垂直ホイール式吹込み成形機。
【発明の詳細な説明】
【０００１】
【技術分野】
本発明は、吹込み成形、より詳細には、それぞれ２つ以上のパリソンが供給される各金型に２つ以上の物品成形用キャビティが形成されて成る、改良された吹込み成形用金型に関する。
【０００２】
【背景技術】
当業者には承知されているように、吹込み成形技術は、容器類のような中空プラスチック製品の製造に広く利用されている。パリソン（ｐａｒｉｓｏｎ）は熱可塑性材料を押出して形成され、一方の金型部分（ｍｏｌｄ ｈａｌｆ）と他方の金型部分の間に配置される。両金型部分をパリソンの周りで閉じ、分離アセンブリにより金型内部にあるパリソン部分と金型の外側の突き出されたパリソン部分とを分離する。金型内部のパリソン内に空気を注入し、パリソンの外表面を金型の内表面に押圧する。このようにして形成された物体が冷却すると、金型を開けて物体を金型から取出す。図１は公知技術で使用されている種類の吹込み成形機を示したものであり、一連の金型が回転ホイール６上に載置されている。この成形機では、金型が回転サイクルの９時の位置に来た時に、その金型にパリソンが下方から挿入される。回転ホイールが時計回りに回転するに従って、吹込み成形品が冷却して行く。金型が６時の位置に来た時に、金型が開いて成形品が取出される。
【０００３】
上述のような垂直ホイール式吹込み成形機においては、ホイール上の金型１つに対して１つの物品成形用キャビティがあって、そこに１つのパリソンが供給されるように構成されているのが一般的である。従来技術による垂直ホイール式吹込み成形機の中には、図２のように２つの物品成形用キャビティ８を備える金型７を使用するものもある。このような従来構造の場合、両方のキャビティ８が１つのパリソンインジェクタと整列され、両方に１つのパリソンが供給される。
【０００４】
【発明の開示】
本発明の目的の一つは、吹込み成形機の処理能力を向上し得る新規な吹込み金型を提供することにある。
【０００５】
本発明の別の目的は、操作人員を増やすことなく、また資本経費の大幅な増加を要することなく、既存の吹込み成形機の処理能力を向上する新規な吹き込み金型を提供することにある。
【０００６】
手短に言うと、本発明は、各々が２つ以上のパリソンの供給を受ける２つ以上のキャビティを各金型に備える吹込み成形用金型を提供するものである。個別のパリソンの供給を受ける各キャビティ自体が、パリソンと整列される２個以上の物品成形用のキャビティを含んでいてもよい。
【０００７】
【発明を実施するための最良の形態】
以下、本発明の好適実施形態につき、添付図面を参照しながら詳細な説明を行なうが、上述した事項を含めて、本発明の目的、態様、利点についてより明らかとなろう。
【０００８】
図３、図４Ａおよび図４Ｂを参照して説明する。金型部分２１と金型部分２３から成る金型２０は、図１の成形機の垂直ホイール６の支持部材２５に固着されている。本発明によると、金型２０は２つ以上（図示の例では３つ）の物品形成用キャビティ２２を備え、キャビティ毎に別個のパリソンインジェクタ２４から挿入が行なわれるように構成されている。一般性をもたせるため、上部コンテナキャビティ２６および下部コンテナキャビティ２８を備える個別のキャビティ２２の各々を示しており、どちらのコンテナキャビティも、該キャビティに供給されるパリソンと整列されている。従って、ここに例示的に示した実施形態では、各キャビティ２２が２つのコンテナをつなげた状態で製造し、各金型はこのようなコンテナを３対製造することになる。勿論、各キャビティが１つの成形品を製造するようにしても良いし、１つの金型のキャビティ２２の数を２つのみ、あるいは３つ以上にして、キャビティ毎に別個のパリソンを供給するようにしても良い。図１の６時の位置、すなわち図４Ａに概略的に示した位置では、金型キャビティ２２が水平面において整列する。同様に、パリソンインジェクタ２４も水平面において整列する。２００１年１月１７日に出願され、本発明の譲受人に譲渡された同時係続出願第０９／７６０，７３４号に記載のように、金型キャビティ毎に別個のパリソン分離アセンブリ３０を設けるのが好ましい。
【０００９】
金型から押し出された成形品が下流のコンベヤ上で詰まるのを防止するために、吹込み成形を終えた成形品は全て同時に金型から押出す必要がある。この目的のために、エジェクタアセンブリを共に金型の一方の端部に装着し、個別に吹込み成形された成形品を一体として落下させるようにする。
【００１０】
図５はデュアルキャビティ・デュアルパリソン式金型に関する図である。金型を閉じた後、それぞれ異なるニードル３２によって各パリソンの膨張が行なわれる。ニードル３２は金型に形成されたシリンダ３３にそれぞれ挿入されている。なお、パリソンの膨張を保証すると共にニードルが拘束されるのを防止するために、ニードルが外側寄りのパリソンに挿入される領域に隣接して配置されている長い方のシリンダ３３の中に案内ブッシュ３４が設けられている。
【００１１】
以上、本発明の一好適実施形態に関連して説明を行なって来たが、当業者には理解される通り、本発明は、特許請求の範囲に記載の本発明の精神およびその範囲において、種々の変更を加えて実施することができる。
【図面の簡単な説明】
【図１】
本発明の適用対象となる公知の垂直ホイール式吹込み成形機を示す図である。
【図２】
従来技術において使用される数個取り金型の片側部分を示す図であり、金型内のキャビティは金型に供給されるパリソンに対して一直線上に配置されている。
【図３】
本発明による数個取り金型の片側部分を示す、図２と同様の図である。
【図４】
図４Ａは、図３に示した金型を図１の型式の垂直ホイール式吹込み成形機に装着した状態を示す部分概略図、図４Ｂは、インジェクタの上方から見下ろした図４Ａの部分概略図であり、金型キャビティの両方の部分を示している。
【図５】
本発明によるデュアルパリソン金型において、キャビティ毎に個別に設けられた吹込み管と吹込みニードルを示す図である。
【国際公開パンフレット】
2004519357.tif 000003
2004519357.tif 000004
2004519357.tif 000005
2004519357.tif 000006
2004519357.tif 000007
2004519357.tif 000008
2004519357.tif 000009
2004519357.tif 000010
2004519357.tif 000011
【国際調査報告】
2004519357.tif 000012